(57)【要約】【課題】  病院の薬局や調剤薬局において使用されている、シート状にブリスターパックされた錠剤（ブリスターパック錠剤）を種類毎に収納し、調剤台１の棚に並べられる調剤用錠剤収納ケース２からブリスターパック錠剤Ｔを支障なく取出すことができる調剤情報表示部材１１を提供する。【解決手段】  調剤用錠剤収納ケース１２の前板１２ａに着脱自在に装着される取付けベース１４と、この取付けベース１４の上端に回転ヒンジ１６を介して、調剤用錠剤収納ケース１２のシート取出し口１３を閉じる方向と、シート取出し口１３を開く方向とに回転可能に設けられる調剤情報表示板１５とによって、調剤情報表示部材１１を構成する。【選択図】図１
2012029982.tif 000002
【特許請求の範囲】
【請求項１】
矩形の底板と、この底板の両側に設けられる側板と、底板の後端に設けられる後板と、底板の前端に設けられる前板とを有し、前板の高さを後板よりも低くして、前面にシート取出し口を設けた調剤用錠剤収納ケースに設置される、上記前板に着脱自在に装着される取付けベースと、この取付けベースの上端に回転ヒンジを介して、上記シート取出し口を閉じる方向と、上記シート取出し口を開く方向とに回転可能に設けられる調剤情報表示板とからなる調剤用錠剤収納ケースの調剤情報表示部材。
【請求項２】
上記シート取出し口を閉じた位置で、調剤情報表示板が前板に対して後方に傾斜する請求項１記載の調剤用錠剤収納ケースの調剤情報表示部材。
【請求項３】
上記取付けベースは、前板の前面の周囲を囲み、中央が開口する額縁形状に形成され、透明な前板の収納ポケットに収納した錠剤名表示カードを前方から視認可能にしたことを特徴とする請求項１又は２記載の調剤用錠剤収納ケースの調剤情報表示部材。
【請求項４】
上記取付けベースは、前板の下面に引っ掛かる下方引っ掛け爪と、前板の上面に引っ掛かる上方引っ掛け爪とにより、上記前板に対し着脱可能に装着される請求項１〜３のいずれかに記載の調剤用錠剤収納ケースの調剤情報表示部材。
【請求項５】
上記調剤情報表示板の表面に、調剤情報表示カードの装着部を設けたことを特徴とする請求項１〜４のいずれかに記載の調剤用錠剤収納ケースの調剤情報表示部材。
【請求項６】
上記調剤情報表示板の表面に設けた調剤情報表示カードの装着部が、調剤情報表示カードを嵌め入れる凹部と、凹部に嵌め入れた調剤情報表示カードの抜け落ちを防止する、調剤情報表示カードの周縁部の少なくとも一部を係止する係止爪とからなる請求項５に記載の調剤用錠剤収納ケースの調剤情報表示部材。
【発明の詳細な説明】
【技術分野】
【０００１】
この発明は、病院の薬局や調剤薬局において使用されている、シート状にブリスターパックされた錠剤（ブリスターパック錠剤）を種類毎に収納し、調剤台の棚に並べられる調剤用錠剤収納ケースに、収納錠剤の薬品情報や調剤注意事項等の調剤情報を表示する部材に関するものである。
【背景技術】
【０００２】
従来、病院の薬局や調剤薬局においては、図１２及び図１３に示すように、ブリスターパック錠剤Ｔを、調剤台１の棚に並べられる調剤用錠剤収納ケース２に薬剤毎に多数枚収納しておき、患者の処方箋を見ながら薬剤師が、調剤用錠剤収納ケース２からブリスターパック錠剤Ｔのシートを必要枚数取り出し、端数を１シートから切り取って患者に提供している。
【０００３】
そして、１シートから切り取った端数の残りのブリスターパック錠剤Ｔは、次の処方の際に使用するために、調剤用錠剤収納ケース２の端数収納部３に保管している。
【０００４】
ところで、病院の薬局や調剤薬局において使用されるブリスターパック錠剤Ｔの種類は、何百とあり、ベテランの薬剤師でも、それぞれの錠剤の用法、粉砕可否、上限投与量等の薬品情報や調剤注意事項等の調剤情報をすべて覚えることは困難であるため、調剤中に気になったときには、その錠剤の説明書等で確認する必要が生じる。
【０００５】
この確認作業を容易に行うために、従来、調剤用錠剤収納ケース２に、薬品情報や調剤注意事項等を表示した調剤情報表示部材４を設置したものが提案されている（特許文献１）。
【先行技術文献】
【特許文献】
【０００６】
【特許文献１】特開平２００６−１５８５８７号公報
【発明の開示】
【発明が解決しようとする課題】
【０００７】
調剤情報表示部材４を備える従来の調剤用錠剤収納ケース１は、図１３に示すように、ブリスターパック錠剤シートＴの収納部５と前方のシート取出し口６とを仕切るように、板状の調剤情報表示部材４を、上端の揺動軸７により、暖簾式に揺動可能に設けている。また、錠剤名表示カード９は、調剤用錠剤収納ケース１の前板１０の収納ポケット１０ａに収容されている。
【０００８】
そして、ブリスターパック錠剤Ｔのシートを取出す際には、錠剤名表示カード９によって錠剤名を確認した後、板状の調剤情報表示部材４を後方へ揺動させて、シート取出し口６から収納部５に手を入れてブリスターパック錠剤Ｔのシートを引き出すようにしている。
【０００９】
ところが、調剤用錠剤収納ケース１に収納されているブリスターパック錠剤Ｔのシートの量が多い場合には、板状の調剤情報表示部材４が、図１３に鎖線で示すように、積み重ねられたブリスターパック錠剤Ｔに引っ掛かって、板状の調剤情報表示部材４がうまく回転せず、ブリスターパック錠剤Ｔのシートの取り出しに手間がかかるという問題があった。
【００１０】
また、病院の薬局や調剤薬局において使用されるブリスターパック錠剤Ｔには、インフルエンザ治療薬のように、季節によって使用量が大きく異なるものがある。
【００１１】
このようなブリスターパック錠剤Ｔの場合、使用量の多い時期には、側板を高くして収納量を多くした収納部５の大きい調剤用錠剤収納ケース１に収納し、使用量の少ない時期になると、収納部５の小さい調剤用錠剤収納ケース１に収納して使用されている。
【００１２】
このように、使用する調剤用錠剤収納ケース１を変更した場合、調剤情報表示部材４も取り換えなければならないが、従来の調剤情報表示部材４は、調剤用錠剤収納ケース１に対して着脱できない構造であるため、調剤情報表示部材４に貼り付けたシート８等を剥がして、貼り変えるなど、表示変更に手間がかかるという問題があった。
【００１３】
そこで、この発明は、ブリスターパック錠剤Ｔのシートの取出しに、支障がなく、しかも、調剤用錠剤収納ケース１を取り替えた際に、調剤情報表示部材も簡単に取り替えることができる、調剤用錠剤収納ケース１の調剤情報表示部材を提供しようとするものである。
【課題を解決するための手段】
【００１４】
前記の課題を解決するために、この発明は、矩形の底板と、この底板の両側に設けられる側板と、底板の後端に設けられる後板と、底板の前端に設けられる前板とを有し、前板の高さを後板よりも低くして、前面にシート取出し口を設けた調剤用錠剤収納ケースに設置される調剤情報表示部材を次のように構成したのである。
【００１５】
即ち、この発明の調剤用錠剤収納ケースの調剤情報表示部材は、前板に着脱自在に装着される取付けベースと、この取付けベースの上端に回転ヒンジを介して、上記シート取出し口を閉じる方向と、前板の前面側に回転して上記シート取出し口を開く方向とに回転可能に設けられる調剤情報表示板とからなる。
【００１６】
上記シート取出し口を閉じる方向に回転させた位置は、前板に対して後方に傾斜する位置にすることができる。
【００１７】
上記取付けベースは、前板の前面の周囲を囲む額縁形状に形成され、透明な前板の裏面に収納した錠剤名表示カードを前方から視認可能にすることができる。
【００１８】
上記取付けベースは、前板の下面裏面に引っ掛かる下方引っ掛け爪と、前板の上面裏面に引っ掛かる上方引っ掛け爪とが設けられ、上記前板に対し着脱可能に装着することができる。
【００１９】
上記調剤情報表示板の表面には、調剤情報表示カードの装着部を設けることができる。
【００２０】
上記調剤情報表示板の表面に設けた調剤情報表示カードの装着部は、調剤情報表示カードを嵌め入れる凹部と、凹部に嵌め入れた調剤情報表示カードの抜け落ちを防止する、調剤情報表示カードの周縁部の少なくとも一部を係止する係止爪によって構成することができる。
【発明の効果】
【００２１】
この発明の調剤用錠剤収納ケースの調剤情報表示部材は、調剤用錠剤収納ケースの前板に着脱自在に装着される取付けベースの上端に回転ヒンジを介して、上記シート取出し口を閉じる方向と、前板の前面側に回転してシート取出し口を開く方向とに回転可能に設けられる薬剤情報表示板とからなるので、薬剤師は、調剤用錠剤収納ケースからブリスターパック錠剤のシートを取出す際に、シート取出し口に位置する調剤情報表示板によって、取出す錠剤の調剤情報を確認することができ、確認後、調剤情報表示板を、前板の前面側に回転してシート取出し口を開くことにより、ブリスターパック錠剤シートの収納量に拘わらず、支障なくブリスターパック錠剤のシートを取り出すことができる。
【００２２】
また、この発明の調剤用錠剤収納ケースの調剤情報表示部材は、前板に対して取付けベースが着脱自在に装着されているので、調剤用錠剤収納ケースを変更した際に、調剤情報表示部材を古い調剤用錠剤収納ケースから取外し、新しい調剤用錠剤収納ケースに装着することによって、調剤情報表示カードの貼り替えや書き換え等の面倒な作業を行う必要がなくなり、調剤作業の省力化が行える。
【図面の簡単な説明】
【００２３】
【図１】この発明に係る調剤情報表示部材と調剤用錠剤収納ケースを分離した状態で示す斜視図である。
【図２】この発明に係る調剤情報表示部材の調剤情報表示板に、調剤情報表示カードを撓ませて挿入する状態を示す一部縦断拡大図である。
【図３】この発明に係る調剤情報表示部材を調剤用錠剤収納ケースに装着した状態を示す部分拡大図である。
【図４】この発明に係る調剤情報表示部材の斜視図である。
【図５】この発明に係る調剤情報表示部材を構成する取付けベースと調剤情報表示板とを分離させた状態で示した斜視図である。
【図６】この発明に係る調剤情報表示部材を調剤用錠剤収納ケースに装着した状態を示す斜視図である。
【図７】図６の調剤情報表示部材と調剤用錠剤収納ケースに、調剤情報表示カードと錠剤名表示カードを装着した状態を示す斜視図である。
【図８】調剤情報表示板を前方に回転させて調剤用錠剤収納ケースのシート取出し口を開いた状態を示す斜視図である。
【図９】調剤情報表示板を閉じた状態の調剤用錠剤収納ケースの使用状態を示す断面図である。
【図１０】調剤情報表示板を開いた状態の調剤用錠剤収納ケースの使用状態を示す断面図である。
【図１１】この発明に係る調剤情報表示部材を装着した調剤用錠剤収納ケースを調剤台の棚に並べた状態を示す斜視図である。
【図１２】従来の調剤用錠剤収納ケースを調剤台の棚に並べた状態を示す斜視図である。
【図１３】従来の調剤用錠剤収納ケースの使用状態を示す断面図である。
【図１４】従来の調剤用錠剤収納ケースの使用状態を示す正面図である。
【発明を実施するための形態】
【００２４】
以下、この発明の実施の形態を添付図面に基づいて説明する。
この発明に係る調剤情報表示部材１１は、図１に示すように、調剤用錠剤収納ケース１２に着脱可能に装着される。
【００２５】
調剤用錠剤収納ケース１２は、矩形の底板１２ａと、この底板１２ａの両側に設けられる側板１２ｂと、底板１２ａの後端に設けられる後板１２ｃと、底板１２ａの前端に設けられる前板１２ｄとを有し、前板１２ｄの高さを後板１２ｃよりも低くして、前面にシート取出し口１３を設けている。
【００２６】
調剤情報表示部材１１は、前板１２ａに着脱自在に装着される取付けベース１４と、この取付けベース１４の上端に回転ヒンジ１６を介して、上記シート取出し口１３を閉じる方向と、前板１２ｄの前面側に回転して上記シート取出し口１３を開く方向とに回転可能に設けられる調剤情報表示板１５とからなる。
【００２７】
上記調剤用錠剤収納ケース１２の側板１２ｂの前方辺は、斜め後方に傾斜する傾斜辺１２ｅになっており、調剤情報表示板１５のシート取出し口１３を閉じる位置において、調剤情報表示板１５は傾斜辺１２ｅに当接して傾斜する。
【００２８】
上記調剤情報表示板１５の表面には、調剤情報表示カード１７を嵌め入れる凹部１５ａが設けられ、この凹部１５ａの上下辺の中央部分と、その４隅には、凹部１５ａに嵌め入れた調剤情報表示カード１７の抜け落ちを防止する係止爪１５ｂを設けている。
【００２９】
この調剤情報表示板１５の凹部１５ａに調剤情報表示カード１７を嵌め入れるには、図２の拡大断面図に示すように、調剤情報表示カード１７を撓ませながら、係止爪１５ｂの下に、調剤情報表示カード１７を潜り込ませるようにする。
【００３０】
また、調剤情報表示板１５の凹部１５ａに嵌め入れた調剤情報表示カード１７の取外しを容易にするために、凹部１５ａの中央部には、調剤情報表示カード１７を背面から指で押すことができるように、貫通孔１５ｃを設けている。
【００３１】
次に、上記取付けベース１４は、調剤用錠剤収納ケース１２の前板１２ｄの前面の周囲を囲む額縁形状に形成されている。
【００３２】
調剤用錠剤収納ケース１２は、透明な樹脂によって形成され、前板１２ｄには、錠剤名表示カード１８を収納する収納ポケット１２ｆが設けられている。
【００３３】
この収納ポケット１２ｆに収容された錠剤名表示カード１８は、額縁形状の取付けベース１４の開口部１４ａから視認可能になっている。
【００３４】
調剤情報表示カード１７及び錠剤名表示カード１８は、紙製、樹脂製等、種々の材質のものを使用することができ、錠剤の名称を印刷したものや、錠剤が収容されていた箱（薬剤箱）を切り取ったもの等も使用可能である。通常、薬剤箱の表面には、流通過程で目立つように複数色で薬剤の名称や注意書き等が印刷されている。したがって、薬剤の名称や注意書き等が最もわかりやすい部分を切り取って使用すればよい。
【００３５】
上記取付けベース１４の下辺と上片の裏面には、図３の拡大図に示すように、調剤用錠剤収納ケース１２の前板１２ｄの下面に引っ掛かる下方引っ掛け爪１４ｂと、前板１２ｄの上面に引っ掛かる上方引っ掛け爪１４ｃとが設けられ、下方引っ掛け爪１４ｂと上方引っ掛け爪１４ｃとにより、取付けベース１４が、調剤用錠剤収納ケース１２の前板に対し着脱可能に装着することができる。
【００３６】
上記取付けベース１４と調剤情報表示板１５とは、図４及び図５に示すように、回転ヒンジ１６を介して互いに回転可能で、着脱可能に取付けられている。
【００３７】
回転ヒンジ１６は、図５に示すように、取付けベース１４の上辺の両端に設けた回転軸１６ａと、調剤情報表示板１５の下面に設けた受け爪１６ｂとによって構成し、取付けベース１４と調剤情報表示板１５とを分離可能にしている。
【００３８】
回転ヒンジ１６の構成としては、上記回転軸１６ａと受け爪１６ｂからなるもの以外でもよく、例えば、取付けベース１４と調剤情報表示板１５とを一体成形し、取付けベース１４と調剤情報表示板１５とを薄肉の樹脂ヒンジを介して連結するようにしてもよい。
【００３９】
図６は、この発明に係る調剤情報表示部材１１を、調剤用錠剤収納ケース１２に装着した状態を示し、図７は、調剤情報表示板１５に調剤情報表示カード１７を嵌め入れ、調剤用錠剤収納ケース１２の前板１２ｄの収納ポケット１２ｆに、錠剤名表示カード１８を挿し入れた状態を示している。
【００４０】
調剤情報表示部材１１を装着した調剤用錠剤収納ケース１２からブリスターパック錠剤Ｔのシートを取出すには、図８に示すように、調剤情報表示板１５を前方に回転させて、調剤用錠剤収納ケース１２のシート取出し口１３を開き、シート取出し口１３からブリスターパック錠剤Ｔのシートを取出す。
【００４１】
図９は、調剤用錠剤収納ケース１２にブリスターパック錠剤Ｔを収容し、調剤情報表示板１５を閉じた状態を示し、図１０は、調剤情報表示板１５を前方に回転させて、シート取出し口１３を開き、シート取出し口１３からブリスターパック錠剤Ｔのシートを取出す状態を示している。
【００４２】
調剤用錠剤収納ケース１２の底面には、ブリスターパック錠剤Ｔのシートを取出す際に、シートの先端が前板１２ｄに引っ掛からないように、前板１２ｄの略上方に向けたアール形状の突起１２ｇを設けている。
【００４３】
また、この突起１２ｇと前板１２ｄの間には、１シートから切り取った端数の残りのブリスターパック錠剤Ｔを保管しておく、端数収納部１２ｈが設けられている。
【００４４】
また、調剤用錠剤収納ケース１２には、使用するブリスターパック錠剤Ｔの長さに応じて、奥行きを変更できるように、後板１２ｃと平行に、仕切り板１９が設けられている。仕切り板１９は、側板１２ｂの後方寄りに設けた３か所の仕切り溝２０に挿入することができる。
【００４５】
この発明に係る調剤情報表示部材１１を装着した調剤用錠剤収納ケース１２は、図１１に示すように、調剤台１の棚に並べて使用される。
【符号の説明】
【００４６】
１  調剤台
１１  調剤情報表示部材
１２  調剤用錠剤収納ケース
１２ａ  底板
１２ｂ  側板
１２ｃ  後板
１２ｄ  前板
１２ｅ  傾斜辺
１２ｆ  収納ポケット
１２ｇ  突起
１２ｈ  端数収納部
１３  シート取出し口
１４  取付けベース
１４ａ  開口部
１４ｂ  下方引っ掛け爪
１４ｃ  上方引っ掛け爪
１５  調剤情報表示板
１５ａ  凹部
１５ｂ  係止爪
１５ｃ  貫通孔
１６  回転ヒンジ
１６ａ  回転軸
１６ｂ  受け爪
１７  調剤情報表示カード
１８  錠剤名表示カード
Ｔ  ブリスターパック錠剤
【図１】
2012029982.tif 000003
【図２】
2012029982.tif 000004
【図３】
2012029982.tif 000005
【図４】
2012029982.tif 000006
【図５】
2012029982.tif 000007
【図６】
2012029982.tif 000008
【図７】
2012029982.tif 000009
【図８】
2012029982.tif 000010
【図９】
2012029982.tif 000011
【図１０】
2012029982.tif 000012
【図１１】
2012029982.tif 000013
【図１２】
2012029982.tif 000014
【図１３】
2012029982.tif 000015
【図１４】
2012029982.tif 000016